(57)【特許請求の範囲】
【請求項１】
螺子山が形成された棒状の螺子部と、
前記螺子部に螺合される第１ナット部と第２ナット部とを有するダブルナット部と、
前記第１ナット部と前記第２ナット部との間に設けられ前記第１ナット部及び前記第２ナット部の対角寸法よりも大きい直径を有するワッシャ部と、
を含むダブルナット機構を締め付けたり緩めたりする際に用いるダブルナット締結補助装置であって、
前記ワッシャ部が通過可能な空間領域を有する孔部を有し、軸方向に沿ったスリットが形成された筒状の把持部と、
一方側に前記第１ナット部及び前記第２ナット部を前記螺子部に螺合させるために回転駆動するインパクトレンチに連結可能な一方側連結部が設けられ、他方側に前記第１ナット部又は前記第２ナット部に連結可能な他方側連結部が設けられるソケット部と、
を備え、
前記ソケット部は、
円柱形状の前記一方側連結部の直径よりも大きい対角寸法を有する前記他方側連結部は多角柱形状を有しており、前記一方側連結部が前記把持部から突出しつつ、前記他方側連結部が前記把持部内から脱落することなく前記把持部内を往復移動できるとともに前記把持部の前記孔部内で空転可能な軸部材を有し、
前記把持部は、
前記孔部の下部に設けられ、前記第１ナット部又は前記第２ナット部を通過させて前記ワッシャ部を係止可能な係止部と、
前記係止部の下部に設けられ、前記第１ナット部又は前記第２ナット部の前記螺子部への螺合回転を規制する回転規制部と、
前記係止部と前記回転規制部との間に設けられ、前記ソケット部の空転を規制しつつ前記把持部と連動して前記ソケット部を回転させるために前記他方側連結部を嵌合可能な回転連動部と、
を有することを特徴とするダブルナット締結補助装置。
【請求項２】
請求項１に記載のダブルナット締結補助装置において、
前記第１ナット部及び前記第２ナット部は、六角ナットであり、
前記回転規制部は、前記六角ナットを嵌合させるための六角形の孔部を有し、
前記ソケット部の前記他方側連結部は、外形が六角形であり、
前記回転連動部は、前記他方側連結部の外形に沿った六角形の孔部を有することを特徴とするダブルナット締結補助装置。
【請求項３】
請求項２に記載のダブルナット締結補助装置において、
前記回転規制部の前記孔部は、前記六角ナットを嵌合させた状態から前記把持部の径方向に前記六角ナットを移動させることにより前記六角ナットを前記把持部から取り外すための切り欠き部を有することを特徴とするダブルナット締結補助装置。
【請求項４】
請求項１から請求項３のいずれか１項に記載のダブルナット締結補助装置において、
前記把持部において、前記回転連動部が設けられる側と反対側に設けられ、前記回転連動部とは別の前記回転連動部が設けられることを特徴とするダブルナット締結補助装置。
【発明の詳細な説明】
【技術分野】
【０００１】
本発明は、ダブルナット締結補助装置に関する。
【背景技術】
【０００２】
従来、建設現場などにおいて、振動に対する戻り止めとしてダブルナットが用いられている。ダブルナットを締め付ける手順の一例として、下ナットを締め付けた後に、上ナットを締め付け、その後、上ナットを固定して下ナットを逆方向に回転させることがある。この際、メガネレンチなどで上ナットを固定しつつ、下ナットをインパクトレンチなどで回転させる必要がある。
【０００３】
一人の作業者が締め付け作業をする際には、棒状に長く伸びたメガネレンチなどを片手で操作しながら、もう一方の手でインパクトレンチなどの電動工具を操作する必要があるため、効率良く締め付け作業を行うことができないという課題がある。
【０００４】
本発明に関連する技術として、例えば、特許文献１には、螺子山が形成された棒状の螺子部と、前記螺子部に螺合される第１ナット部と第２ナット部とを有するダブルナット部と、前記第１ナット部と前記第２ナット部との間に設けられ前記第１ナット部及び前記第２ナット部の対角寸法よりも大きい直径を有するワッシャ部と、を含むダブルナット機構を締結する際に用いるダブルナット締結補助装置であって、前記ワッシャ部が通過可能な孔部を有する筒状の把持部と、前記孔部の下部に設けられ、前記第１ナット部又は前記第２ナット部を通過させて前記ワッシャ部を係止可能な係止部と、前記係止部の下部に設けられ、前記第１ナット部又は前記第２ナット部の前記螺子部への螺合回転を規制する回転規制部と、を備えることを特徴とするダブルナット締結補助装置が開示されている。
【先行技術文献】
【特許文献】
【０００５】
【特許文献１】特許第６６９７１５２号明細書
【発明の概要】
【発明が解決しようとする課題】
【０００６】
特許文献１には、インパクトレンチに連結可能なソケットと、このソケットとは独立したダブルナット締結補助装置とを用いてダブルナットを締め付ける構成が開示されている。
【０００７】
しかしながら、ソケットと筒状の把持部といった独立した２つの部材を組み合わせて締め付けを行っているため、ソケットを把持部に対して装着したり取り外したりして締め付ける必要がある。また、ソケットの形状などによっては把持部に装着できないことがある。したがって、より効率良くダブルナットを締め付けることが望ましい。
【０００８】
本発明の目的は、より効率良くダブルナットを締め付けることを可能とするダブルナット締結補助装置を提供することである。
【課題を解決するための手段】
【０００９】
本発明に係るダブルナット締結補助装置は、螺子山が形成された棒状の螺子部と、前記螺子部に螺合される第１ナット部と第２ナット部とを有するダブルナット部と、前記第１ナット部と前記第２ナット部との間に設けられ前記第１ナット部及び前記第２ナット部の対角寸法よりも大きい直径を有するワッシャ部と、を含むダブルナット機構を締め付けたり緩めたりする際に用いるダブルナット締結補助装置であって、前記ワッシャ部が通過可能な空間領域を有する孔部を有し、軸方向に沿ったスリットが形成された筒状の把持部と、一方側に前記第１ナット部及び前記第２ナット部を前記螺子部に螺合させるために回転駆動するインパクトレンチに連結可能な一方側連結部が設けられ、他方側に前記第１ナット部又は前記第２ナット部に連結可能な他方側連結部が設けられるソケット部と、を備え、前記ソケット部は、円柱形状の前記一方側連結部の直径よりも大きい対角寸法を有する前記他方側連結部は多角柱形状を有しており、前記一方側連結部が前記把持部から突出しつつ、前記他方側連結部が前記把持部内から脱落することなく前記把持部内を往復移動できるとともに前記把持部の前記孔部内で空転可能な軸部材を有し、前記把持部は、前記孔部の下部に設けられ、前記第１ナット部又は前記第２ナット部を通過させて前記ワッシャ部を係止可能な係止部と、前記係止部の下部に設けられ、前記第１ナット部又は前記第２ナット部の前記螺子部への螺合回転を規制する回転規制部と、前記係止部と前記回転規制部との間に設けられ、前記ソケット部の空転を規制しつつ前記把持部と連動して前記ソケット部を回転させるために前記他方側連結部を嵌合可能な回転連動部と、を有することを特徴とする。
【００１０】
また、本発明に係るダブルナット締結補助装置において、前記第１ナット部及び前記第２ナット部は、六角ナットであり、前記回転規制部は、前記六角ナットを嵌合させるための六角形の孔部を有し、前記ソケット部の前記他方側連結部は、外形が六角形であり、前記回転連動部は、前記他方側連結部の外形に沿った六角形の孔部を有することが好ましい。
【００１１】
また、本発明に係るダブルナット締結補助装置において、前記回転規制部の前記孔部は、前記六角ナットを嵌合させた状態から前記把持部の径方向に前記六角ナットを移動させることにより前記六角ナットを前記把持部から取り外すための切り欠き部を有することが好ましい。
【００１２】
また、本発明に係るダブルナット締結補助装置において、前記把持部において、前記回転連動部が設けられる側と反対側に設けられ、前記回転連動部とは別の前記回転連動部が設けられることが好ましい。
【発明の効果】
【００１３】
本発明によれば、より効率良くダブルナットを締め付けることができる。
【図面の簡単な説明】
【００１４】
【図１】本発明に係る実施形態のダブルナット締結補助装置を示す図である。
【図２】本発明に係る実施形態のダブルナット締結補助装置の把持部の正面図、底面図及び断面図である
【図３】本発明に係る実施形態のダブルナット締結補助装置のソケット部の正面図、平面図、底面図及び断面図である。
【図４】図１に示されるダブルナット締結補助装置の試作品を示す図である。
【図５】本発明に係る実施形態のダブルナット締結補助装置の試作品において、ソケット部を回転連動部に嵌合させている様子を示す図である。
【図６】本発明に係る実施形態のダブルナット締結補助装置の試作品において、ソケット部を回転連動部に嵌合させてナットを螺合させる様子を示す図である。
【図７】本発明に係る実施形態のダブルナット締結補助装置の試作品において、ソケット部を別の回転連動部に嵌合させてナットを螺合させる様子を示す図である。
【発明を実施するための形態】
【００１５】
以下に、本発明に係る実施の形態について添付図面を参照しながら詳細に説明する。以下では、全ての図面において同様の要素には同一の符号を付し、重複する説明を省略する。また、本文中の説明においては、必要に応じそれ以前に述べた符号を用いるものとする。
【００１６】
図１は、本発明に係る実施形態のダブルナット締結補助装置１０を示す図である。図１（ａ）は、ダブルナット締結補助装置１０の斜視図であり、ダブルナット締結補助装置１０の把持部１２にダブルナット機構５を係止している様子を示す断面図である。
【００１７】
図２は、本発明に係る実施形態のダブルナット締結補助装置１０の把持部１２の正面図、底面図及び断面図である。図２（ａ）は、ダブルナット締結補助装置１０の把持部１２の正面図であり、図２（ｂ）は、Ａ−Ａ線断面図である。
【００１８】
図２（ｃ）は、ダブルナット締結補助装置１０の把持部１２の底面図であり、図２（ｄ）は、Ｂ−Ｂ線断面図であり、図２（ｅ）は、Ｃ−Ｃ線断面図である。
【００１９】
図３は、本発明に係る実施形態のダブルナット締結補助装置１０のソケット部６の正面図、平面図、底面図及び断面図である。図３（ａ）は、ダブルナット締結補助装置１０のソケット部６の正面図であり、図３（ｂ）は、Ｄ−Ｄ線断面図である。
【００２０】
図３（ｃ）は、ダブルナット締結補助装置１０のソケット部６の平面図であり、図３（ｄ）は、ダブルナット締結補助装置１０のソケット部６の底面図である。
【００２１】
図４は、図１に示されるダブルナット締結補助装置１０の試作品を示す図である。図５は、本発明に係る実施形態のダブルナット締結補助装置１０の試作品において、ソケット部６を回転連動部１８に嵌合させている様子を示す図である。
【００２２】
図６は、本発明に係る実施形態のダブルナット締結補助装置１０の試作品において、ソケット部６を回転連動部１８に嵌合させてナットを螺合させる様子を示す図である。図７は、本発明に係る実施形態のダブルナット締結補助装置１０の試作品において、ソケット部６を回転連動部１９に嵌合させてナットを螺合させる様子を示す図である。
【００２３】
ダブルナット機構５は、螺子部４と、第１ナット部１と第２ナット部３とを有するダブルナット部と、ワッシャ部２とを備えている。
【００２４】
螺子部４は、螺子山（螺子溝）が形成された棒状の金属製部材であり、第１ナット部１と第２ナット部３が螺合される棒部材である。
【００２５】
ダブルナット部は、螺子部４に螺合される第１ナット部１と第２ナット部３とを有する。第１ナット部１及び第２ナット部３は、六角形状の外形を有する金属製のナットである。
【００２６】
ワッシャ部２は、第１ナット部１と第２ナット部３との間に設けられ、第１ナット部１及び第２ナット部３の対角寸法よりも大きい直径を有する円状の金属製の板部材である。
【００２７】
ここでは、第１ナット部１又は第２ナット部３は、電動インパクトレンチ（不図示）で自動的に螺合するものとして説明するが、もちろん、手動で螺合させてもよい。
【００２８】
電動インパクトレンチは、電気や圧縮空気を動力源として内蔵されたモータを回転させ、内蔵されたハンマーを回転させる。ハンマーはダブルナット締結補助装置１０のソケット部６が接続された軸に、回転方向に打撃（インパクト）を与える。
【００２９】
この打撃により先端に取り付けられたソケット部６などが回転し、第１ナット部１又は第２ナット部３を回すことができ、ソケット部６が接続された軸は常にインパクトを受けながら回転しているため、大きなトルクをかけることができる。
【００３０】
ダブルナット締結補助装置１０は、ダブルナット機構５を緩めたり締め付けたりする際に用いる金属製の装置である。ダブルナット締結補助装置１０は、ソケット部６と、把持部１２と、係止部１４と、回転規制部１６と、回転連動部１８とを備えている。
【００３１】
ソケット部６は、電動インパクトレンチに装着して、第１ナット部１又は第２ナット部３を回転させるための金属製の略円筒部材である。
【００３２】
ソケット部６は、一方側に第１ナット部１及び第２ナット部３を螺子部４に螺合させるために回転駆動するインパクトレンチに連結可能な一方側連結部２０が設けられ、他方側に第１ナット部１又は前記第２ナット部３に連結可能な他方側連結部２２が設けられている。
【００３３】
ソケット部６は、図３（ｄ）に示されるように、底面側に位置する他方側連結部２２には、第１ナット部１又は第２ナット部３を嵌合させるための六角形状の孔部２２ａを有している。また、天井面側に位置する一方側連結部２０には、電動インパクトレンチに連結するための四角形状の孔部２０ａを有する。
【００３４】
ソケット部６は、円柱形状の一方側連結部２０の直径よりも大きい対角寸法を有する他方側連結部２２は多角柱形状を有しており、一方側連結部２０が把持部１２から突出しつつ、他方側連結部２２が把持部１２内から脱落することなく把持部１２内を往復移動できるとともに把持部１２の孔部１３内で空転可能な軸部材を有している。
【００３５】
ここでは、他方側連結部２２は、図３（ａ）及び図３（ｄ）に示されるように、六角形の外形を有しているものとして説明する。
【００３６】
把持部１２は、ワッシャ部２が通過可能な空間領域を有する孔部１３を有する筒状部材である。把持部１２の側面には、軸方向に沿ったスリット１５が形成されている。このため、図２（ｄ）に示されるように、把持部１２の平面視は、略Ｃ字形状（図２（ｄ）ではＣの切り欠き部分が反対に位置している）を有している。
【００３７】
把持部１２の孔部１３は、第１ナット部１及び第２ナット部３を螺子部４に螺合させることが可能な電動インパクトレンチに連結可能なソケット部６の他方側連結部２２よりも若干広い径を有する円柱形状を有し、ソケット部６を収納可能な構造を有する。
【００３８】
係止部１４は、孔部１３の下部に設けられ、第１ナット部１又は第２ナット部３を通過させてワッシャ部２を係止可能な部位である。また、係止部１４の厚み（把持部１２の底面から係止部１４の上面までの距離）は、第１ナット部１及び第２ナット部３の厚み（高さ）よりも若干大きくなるように設定されている。係止部１４は、回転規制部１６及び回転連動部１８の天井面によって構成されており、詳細な説明は後述する。
【００３９】
回転規制部１６は、係止部１４の下部に設けられ、第１ナット部１又は第２ナット部３の螺子部４への螺合回転を規制する。
【００４０】
回転規制部１６は、第１ナット部１及び第２ナット部３の六角ナットを嵌合させるための六角形の孔部１６ａを有する。また、回転規制部１６の厚み（把持部１２の底面から回転規制部１６の上面までの距離）は、第１ナット部１及び第２ナット部３の厚み（高さ）よりも短く設定されている。
【００４１】
なぜなら、第１ナット部１及び第２ナット部３のみで構成されるダブルナットを締め付ける場合を考えたときに、例えば、第２ナット部３を回転規制部１６で回転規制する場合に、回転規制部１６の厚みよりも第２ナット部３の厚みが薄い場合には、他方側連結部２２の回転により第１ナット部１を締め付けたとしても第２ナット部３が回転規制部１６に埋もれてしまい、第１ナット部１と第２ナット部３とが接触せずダブルナットとしての役割を果たせなくなるからである。
【００４２】
回転規制部１６の六角の凹凸形状は、第１ナット部１及び第２ナット部３の外形である六角形と一致しているため、第１ナット部１又は第２ナット部３と嵌合させることで回転方向の動きをしっかりと規制することができる。
【００４３】
回転規制部１６の孔部１６ａは、六角ナットを嵌合させた状態から把持部１２の径方向に六角ナットを移動させることにより六角ナットを把持部１２から取り外すための切り欠き部２３を有している。これにより、例えば、図１（ｂ）に示されるように、把持部１２に係止されたダブルナット機構５を径方向に移動させることで把持部１２から取り外すことが出来る。
【００４４】
図２（ｅ）に示されるように、回転規制部１６の六角の凹凸形状は、孔部１３の外径よりも内径側に形成されており、凹凸を形成する壁部が突設されている。当該壁部の天井面がワッシャ部２を係止可能な部位である係止部１４として機能する。
【００４５】
回転連動部１８は、係止部１４と回転規制部１６との間に設けられ、ソケット部６の空転を規制しつつ把持部１２と連動してソケット部６を回転させるために他方側連結部２２を嵌合可能な孔部１８ａである。この孔部１８ａは、六角形の外形を有する他方側連結部２２が嵌合するように六角形状を有している。
【００４６】
なお、回転連動部１８の六角の凹凸形状は、回転規制部１６の対角寸法よりも大きい寸法を有しているが、孔部１３の外形よりも内径側に形成されているため、上述したように壁部の天井面が係止部１４として機能する。
【００４７】
上記のように、ソケット部６を回転連動部１８側に押し付けて他方側連結部２２を回転連動部１８に嵌合して、他方側連結部２２の先端側端部２２Ｔが回転規制部１６の天井壁に係止された状態となるため、ソケット部６が把持部１２の底面側から抜け落ちることがない。
【００４８】
また、把持部１２の天井面側には、ソケット部６の円柱形状の一方側連結部２０が挿通される貫通孔２１ａを有する蓋部材２１が設けられている。また、蓋部材２１の内壁には、ソケット部６を蓋部材２１側に引いた際に他方側連結部２２の基端側端部２２Ｂが嵌合するための回転連動部１９が形成されている。
【００４９】
続いて、上記構成のダブルナット締結補助装置１０の作用について説明する。図１（ｂ）に示されるダブルナット機構５において、ダブルナット部を締め付ける又は緩める際にダブルナット締結補助装置１０を準備する。
【００５０】
具体的には、図１（ｂ）に示されるように、ユーザの手８で、ダブルナット締結補助装置１０の把持部１２を握り、ダブルナット機構５の螺子部４を把持部１２の孔部１３に通過させて、第２ナット部３を回転規制部１６の六角の凹凸形状に嵌合させる。
【００５１】
このとき、ワッシャ部２が係止部１４に係合され、第２ナット部３は、回転規制部１６と嵌合するため、第２ナット部３の回転が規制される。しかしながら、第１ナット部１は、第１ナット部１の対角寸法よりも大きい直径の孔部１３に収容されているため、第１ナット部１は回転可能なフリーな状態となっている。
【００５２】
その後、ソケット部６を把持部１２の底面側（回転規制部１６側）に押し付けて、図１（ａ）に示されるように、ソケット部６の他方側連結部２２の六角形状の孔部２２ａを第１ナット部１に嵌合させる。ダブルナット締結補助装置１０の試作品の例で見れば、図４に示された状態となる。
【００５３】
このとき、ソケット部６の一方側連結部２０の天井面部は、把持部１２から突出した状態となっている。次に、電動インパクトレンチとソケット部６の天井面部の孔部２０ａとを接続させて、電動インパクトレンチを作動させる。この際、ソケット部６は孔部１３内を回転可能な状態となっている。
【００５４】
電動インパクトレンチの作動により、ソケット部６が回転すると、ソケット部６の底面部に嵌合する第１ナット部１が回転する。このとき、第２ナット部３は、回転規制部１６により回転が規制されているので、第１ナット部１と第２ナット部３とを有するダブルナット部をしっかりと締め付けることが出来る。
【００５５】
従来、ダブルナットを締め付ける際に、一人の作業者が締め付け作業をするために、棒状に長く伸びたメガネレンチなどを片手で操作しながら、もう一方でインパクトレンチなどの電動工具を操作する必要があるため、効率良く締め付け作業を行えないという課題があった。また、一人で難しい場合は、二人の作業者で締め付けを行う必要があった。
【００５６】
しかしながら、ダブルナット締結補助装置１０によれば、一人の作業者（ユーザ）が一方の手８で把持部１２を持ちながら、他方の手で電動インパクトレンチを操作するだけで締め付けることができる。これにより、効率良く締め付けることができるという顕著な効果を奏する。
【００５７】
また、ダブルナット締結補助装置１０によれば、把持部１２とソケット部６とが一体となっているため、ソケット部６を把持部１２に取り付けたり取り外したりする必要がない。これにより、より効率良くダブルナット部を締め付けたり緩めたりすることができるという顕著な効果を奏する。
【００５８】
さらに、上記のように、第２ナット部３の動きを規制しながら第１ナット部１を回転させるような場合ではなく、例えば、第１ナット部１又は第２ナット部３のいずれかの六角ナットのみを回転させる場合においては、ソケット部６を押し付けて他方側連結部２２を回転連動部１８に嵌合させる。ダブルナット締結補助装置１０の試作品の例で言えば、図５に示された状態が他方側連結部２２が回転規制部１６に嵌合された状態である。
【００５９】
そして、他方側連結部２２の六角孔部又は回転規制部１６に第１ナット部１又は第２ナット部３のいずれかを連結して電動インパクトレンチを操作することで他方側連結部２２及び回転規制部１６が連動して回転するため、第１ナット部１又は第２ナット部３を回転させて螺子部４に螺合させることができる。
【００６０】
ダブルナット締結補助装置１０の試作品の例で言えば、図６に示される状態である。ここで、回転規制部１６の厚み（把持部１２の底面から回転規制部１６の上面までの距離）は、第１ナット部１及び第２ナット部３の厚み（高さ）よりも短く設定されている。この状態で回転規制部１６のみによって第１ナット部１又は第２ナット部３を回転させようとすると回転規制部１６の厚みが薄いことからナットの側面全てを保持できていないためトルクが小さくなる。これに対し、他方側連結部２２を回転連動部１８に嵌合させることで、ナットの側面の全てを保持させた状態となり、大きなトルクで回転させることができるため、効率良く締め付けることができるという利点がある。
【００６１】
また、螺子部４に対する第１ナット部１又は第２ナット部３の取り付け位置によってソケット部６を把持部１２の天井面側に引いて回転連動部１９の孔部１９ａに嵌合させる。この状態で、第１ナット部１又は第２ナット部３を他方側連結部２２の六角形の孔部２２ａに嵌合させて電動インパクトレンチを操作することで、第１ナット部１又は第２ナット部３を回転させて螺子部４に螺合させることが出来る。ダブルナット締結補助装置１０の試作品の例で言えば、図７に示された状態であり、ソケット部６を把持部１２の天井面側に引いて回転連動部１９の孔部１９ａに嵌合させることにより、図７のように螺子部４の突出量が大きく、離れた場所でナット部を回転させるような状況の場合であってもナットを締め付けることができるという利点がある。
【００６２】
なお、ダブルナット締結補助装置１０は、把持部１２にスリット１５が形成されているため、ダブルナット機構５とソケット６を装着する際に視認することができ、効率良く装着することができるが、スリット１５は必須の構成ではなく、スリット１５が無くても上記のように効率良く締め付けを行えるという効果を発揮する。
【符号の説明】
【００６３】
１  第１ナット部、２  ワッシャ部、３  第２ナット部、４  螺子部、５  ダブルナット機構、６  ソケット部、８  手、１０ダブルナット締結補助装置、１２  把持部、１３  孔部、１４  係止部、１５  スリット、１６  回転規制部、１６ａ  孔部、１８  回転連動部、１８ａ  孔部、１９  回転連動部、１９ａ  孔部、２０  一方側連結部、２０ａ  孔部、２１  蓋部材、２１ａ  貫通孔、２２  他方側連結部、２２Ｂ  基端側端部、２２Ｔ  先端側端部、２２ａ  孔部、２３切り欠き部。
【要約】      （修正有）【課題】より効率良くダブルナットを締め付けることを可能とするダブルナット締結補助装置を提供することである。【解決手段】ダブルナット締結補助装置１０は、筒状の把持部１２と、ソケット部６と、を備え、ソケット部６は、他方側連結部２２は多角柱形状を有しており、一方側連結部２０が把持部１２から突出しつつ、他方側連結部２２が把持部１２内から脱落することなく把持部１２内を往復移動できるとともに把持部１２の孔部１３内で空転可能な軸部材を有し、把持部１２は、第１ナット部１又は第２ナット部３を通過させてワッシャ部２を係止可能な係止部１４と、第１ナット部１又は第２ナット部３の螺子部４への螺合回転を規制する回転規制部１６と、ソケット部６の空転を規制しつつ把持部１２と連動してソケット部６を回転させるために他方側連結部２２を嵌合可能な回転連動部１８と、を有する。【選択図】図１【図１】
0006936948.tif 000002
【図２】
0006936948.tif 000003
【図３】
0006936948.tif 000004
【図４】
0006936948.tif 000005
【図５】
0006936948.tif 000006
【図６】
0006936948.tif 000007
【図７】
0006936948.tif 000008